(57)【要約】【課題】本発明は板状部材の取り付け構造に関し、部品点数の削減及び組み立て作業の効率化を図ることを課題とする。【解決手段】金属ベース板１１０に、アウトサート成形によって、偏心ロータ１１１、ピン１２０、３つのフック１２１、１２２、１２３が形成してある。偏心ロータ１１１は偏心突部１１５を有する。錘板１００には、開口１０１〜１０５が形成してある。錘板１００をその開口１０１〜１０５を夫々偏心ロータ１１１、ピン１２０、フック１２１、１２２、１２３に嵌合させて金属ベース板１１０上に載せ、偏心ロータ１１１を半回転させることによって、錘板１００がＸ１方向にスライドされて、開口１０３，１０４、１０５の縁がフック部１２１ａ、１２２ａ、１２３ａに係止されて金属ベース板１１０に固定される。【選択図】        図４
2004204889.tif 000002
【特許請求の範囲】
【請求項１】
板状部材をベース板上に固定する構造であって、
ベース板上に載せられた板状部材を横にスライドさせるスライド機構と、
横にスライドされた板状部材を上記ベース板に対して係止させる係止機構とを有する構成としたことを特徴とする板状部材の固定構造。
【請求項２】
請求項１記載の板状部材の固定構造において、
スライド機構は、ベース板にアウトサート成形して設けてある偏心ロータと、板状部材に形成してある開口とよりなり、該開口が該偏心ロータと嵌合してしてあり、該偏心ロータが回動操作されたときに該偏心ロータが該開口の縁を押して該ベース板上の板状部材を横にスライドさせる構成であることを特徴とする板状部材の固定構造。
【請求項３】
請求項２記載の板状部材の固定構造において、
偏心ロータは、その偏心突部のうち最大に偏心している側面の部分に平面部を有する形状を有し、
開口部は、直線状の縁部を有する形状を有し、
該偏心ロータが回動操作され、偏心突部の平面部が直線状の縁部を係止した状態となって板状部材の横へのスライドが完了する構成であることを特徴とする板状部材の固定構造。
【請求項４】
請求項３記載の板状部材の固定構造において、
偏心ロータの偏心突部は、上記平面部を有する部分と直径方向上反対側の部分が切除されている形状であることを特徴とする板状部材の固定構造。
【請求項５】
請求項１記載の板状部材の固定構造において、
横にスライドされた板状部材を上記ベース板に対して係止させる係止機構は、
ベース板にアウトサート成形して設けてあり、フック部を有するフックと、
板状部材に形成してあり、該フックと嵌合する開口とよりなり、
板状部材が横にスライドされたときに、該開口の縁が該フックのフック部に係止される構成であることを特徴とする板状部材の固定構造。
【請求項６】
ベース板上に、ディスクを支持するターンテーブルを回転させるモータ及びディスクの情報を読み取る光学ヘッドが支持されている構造のベースユニットが、インシュレータを介して支持ベース上に支持されている構造の光ディスク装置において、
錘板が、請求項１乃至５のうち何れか一項記載の板状部材の固定構造によってベース板上に固定してある構造の光ディスク装置。
【発明の詳細な説明】
【０００１】
【発明の属する技術分野】
本発明は板状部材の固定構造及びこの構造を有する光ディスク装置に関する。
【０００２】
【従来の技術】
光ディスク装置は光学ベースユニットアセンブリを有する。光学ベースユニットアセンブリは、支持ベース上に光学ベースユニットが支持されている構成である。光学ベースユニット１０は、図１３（Ａ）、（Ｂ）に概略的に示すように、ターンテーブルモータ（図示せず）等が取り付けてある光学ベース２０上にディスクが高速で回転した時に発生する振動を除去するための錘としての板部材３０が例えば３本のねじ３１によってねじ止めされて固定してある構造である。
【０００３】
【特許文献】
特開２００１−１４８１５１号公報
【０００４】
【発明が解決しようとする課題】
このため、ねじ３１が３本必要となると共に、三箇所でねじ３１を締める作業が必要となり、部品点数が多く必要となり且つ組み立て工数が多く必要となっていた。
【０００５】
そこで、本発明は、上記課題を解決した板状部材の固定構造及びこの構造を有する光ディスク装置を提供することを目的とする。
【０００６】
【課題を解決するための手段】
請求項１の発明は、板状部材をベース板上に固定する構造であって、
ベース板上に載せられた板状部材を横にスライドさせるスライド機構と、
横にスライドされた板状部材を上記ベース板に対して係止させる係止機構とを有する構成としたものである。
【０００７】
ねじを使用せずに、よって、ねじを締める作業を行わないで、板状部材をベース板上に固定することが可能となる。
【０００８】
請求項２の発明は、請求項１記載の板状部材の固定構造において、
スライド機構は、ベース板にアウトサート成形して設けてある偏心ロータと、板状部材に形成してある開口とよりなり、該開口が該偏心ロータと嵌合してしてあり、該偏心ロータが回動操作されたときに該偏心ロータが該開口の縁を押して該ベース板上の板状部材を横にスライドさせる構成としたものである。
【０００９】
スライド機構は簡単な構造となる。
【００１０】
請求項３の発明は、請求項２記載の板状部材の固定構造において、
偏心ロータは、その偏心突部のうち最大に偏心している側面の部分に平面部を有する形状を有し、
開口部は、直線状の縁部を有する形状を有し、
該偏心ロータが回動操作され、偏心突部の平面部が直線状の縁部を係止した状態となって板状部材の横へのスライドが完了する構成としたものである。
【００１１】
最終状態が偏心突部の平面部が直線状の縁部を係止したようになる構成は、偏心ロータを所定の位置まで回動操作したことを、作業者が感触から知ることが可能となり、また、振動等を受けても偏心ロータが回り出さないようになる。
【００１２】
請求項４の発明は、請求項３記載の板状部材の固定構造において、
偏心ロータの偏心突部は、上記平面部を有する部分と直径方向上反対側の部分が切除されている形状であるようにしたものである。
【００１３】
切除されている分、偏心突部と嵌合する開口のサイズを小さくすることが可能となり、板状部材を錘として使用する場合に有利となる。
【００１４】
請求項５の発明は、請求項１記載の板状部材の固定構造において、
横にスライドされた板状部材を上記ベース板に対して係止させる係止機構は、
ベース板にアウトサート成形して設けてあり、フック部を有するフックと、
板状部材に形成してあり、該フックと嵌合する開口とよりなり、
板状部材が横にスライドされたときに、該開口の縁が該フックのフック部に係止される構成としたものである。
【００１５】
係止機構は簡単な構造となる。
【００１６】
請求項６の発明は、ベース板上に、ディスクを支持するターンテーブルを回転させるモータ及びディスクの情報を読み取る光学ヘッドが支持されている構造のベースユニットが、インシュレータを介して支持ベース上に支持されている構造の光ディスク装置において、
錘板が、請求項１乃至５のうち何れか一項記載の板状部材の固定構造によってベース板上に固定してある構造としたものである。
【００１７】
ベース板上への錘板の固定をねじを使用せずに、よって、ねじを締める作業を行わないで行うことが可能となる。これにより、光ディスク装置の製造コストを下げることが可能となる。
【００１８】
【発明の実施の形態】
図１及び図２（Ａ）、（Ｂ）は本発明の一実施例になる光ディスク装置５０を示す。図２（Ａ）は初期の状態を示し、図２（Ｂ）は読み取り又は書き込み時の状態を示す。図示の便宜上、ディスクトレイは省略してある。Ｘ１−Ｘ２は幅方向、Ｙ１−Ｙ２は奥行き方向、Ｚ１−Ｚ２は高さ方向である。
【００１９】
光ディスク装置５０は、大略、箱形状のハウジング５１と、ディスクトレイ（図示せず）と、ベースユニットアセンブリ６０とを有する構成であり、例えば水平の姿勢で、コンピュータ本体内に組み込まれる。
【００２０】
ベースユニットアセンブリ６０は、図３に示すように、ベースユニット６１がその各コーナ部分を、振動を吸収する柔軟なゴム製のインシュレータ８１〜８４を介して四角枠形状の支持ベース８５上に支持されている構造である。
【００２１】
ベースユニット６１は、略正方形のベース６２に、ＣＤ−ＲＯＭを回転させるターンテーブル６３、ターンテーブル６３を回転させるモータ６４、ＣＤ−ＲＯＭの情報を読み取る光学ヘッド６５、光学ヘッド６５を移動させるモータ６６、及び錘板１００等が取り付けられている構造である。錘板１００は、ベースユニット６１の重量を増すと共にベースユニット６１の重心の位置を所望の位置にさだめ、四隅のインシュレータ８１〜８４にかかる重量のバランスを所望の状態として、光ディスク装置５０の読み取り特性の改善を図るために設けてある。
【００２２】
このベースユニットアセンブリ６０は、支持ベース８５のＹ１側のＸ１及びＸ２方向に突き出している軸８６、８７を夫々ハウジング５１のＹ１側の軸受８８に支持され、且つ、支持ベース８５のＹ２側のロッド８９をハウジング５１に組み込んであるカム部材９０のカム溝に支持されて、ハウジング５１内に支持されている。ベースユニットアセンブリ３０は、光ディスク装置５０が停止しているときには、図２（Ａ）に示すように、Ｙ２側が下がって傾斜しており、ターンテーブル６３は下がっている。ＣＤ−ＲＯＭ２００がディスクトレイ２０に載せられ、ディスクトレイ（図示せず）がＹ１方向に移動され、ＣＤ−ＲＯＭ２００がハウジング５１内に運び込まれると、カム部材９０がＸ２方向に移動され、カム溝がロッド８９を押し上げて、ベースユニットアセンブリ６０は図２（Ｂ）に示すように水平の状態とされる。ＣＤ−ＲＯＭ２００はターンテーブル６３に支持されてディスクトレイ（図示せず）から浮き、クランパ９１によってターンテーブル６３上にクランプされる。この後、モータ６４、６６、光学ヘッド６５が駆動され、ＣＤ−ＲＯＭ２００が回転され、この情報が光学ヘッド６５によって読み取られる。停止操作をすると、光ディスク装置５０は上記とは逆の動作をし、ベースユニットアセンブリ６０が図２（Ａ）に示すように傾斜され、ＣＤ−ＲＯＭ２００はクランプを解除されてディスクトレイ（図示せず）によってハウジング５１の外に排出される。
【００２３】
次に、錘板１００をベース６２上にねじを使用しないで固定する構造について説明する。
【００２４】
図４は錘板１００とベース６２とを対応させて分解して示す。図５（Ａ），（Ｂ）は錘板１００をベース６２上に載せたときの状態を示し、図５（Ｃ），（Ｄ）は錘板１００がベース６２上にねじを使用しないで固定された状態を示す。
【００２５】
先ず、ベース６２について説明する。図６（Ａ）はベース６２の平面図であり、図６（Ｂ）はベース６２の底面図である。図７（Ａ）、（Ｂ）はベース６２のうち錘板１００の固定に係わる部分の構成を示す図である。
【００２６】
ベース６２は、金属ベース板１１０に対してアウトサート成形がなされている構造である。アウトサート成形によって、錘板１００を固定するための偏心ロータ１１１、ピン１２０、３つのフック１２１、１２２、１２３と、モータ６４を支持する部分１２５と、モータ６６を固定する開閉蓋状の部分１２６と、光学ヘッド６５のガイドロッドを支持するための部分１２７と、インシュレータ８１〜８４に嵌合して載る部分１２８とが形成してある。
【００２７】
偏心ロータ１１１は、図７（Ａ）、（Ｂ）に示すように、金属ベース板１１０の上面１１０ａ側のフランジ部１１２と、金属ベース板１１０の下面１１０ｂ側のフランジ部１１３と、金属ベース板１１０の円形穴１１０ｃを通ってフランジ部１１２とフランジ部１１３とを繋いでいる円柱状の繋ぎ部１１４と、フランジ部１１３の上に突き出ている偏心突部１１５とを有する構成である。偏心ロータ１１１は、繋ぎ部１１４を中心に回動可能である。偏心突部１１５には、ねじ回しの先端が嵌合する溝１１６が形成してある。１１７は繋ぎ部１１４の中心線であり、１１８は偏心突部１１５の中心線である。中心線１１８は中心線１１７に対して、ΔＸ偏心している。
【００２８】
図７（Ａ）、（Ｂ）の偏心ロータ１１１は錘板１００を固定している状態における回動位置に位置している。図８の偏心ロータ部１１１は錘板１００を固定する前の状態における回動位置に位置しており、偏心突部１１５の平面部１１５ｂがＸ１側を向いている。
【００２９】
偏心突部１１５は、図８に拡大して示すように、中心線１１８を中心とする半径Ｒ１の円柱部１１９を基本の形状とし、この円柱部１１９のうち中心線１１７に対して偏心しているＸ１側の端が一部切除されて平面部１１５ｂとされ、且つ、この円柱部１１９のうち中心線１１７に対して偏心しているＸ１側とは反対側については半径Ｒ１の略１／２に相当する部分１１９ａが切除されて広い平面部１１５ｃとされている形状である。１１５ｄ、１１５ｅは、平面部１１５ｂと円周面部１１５ａとの間に形成される角部である。半径Ｒ１は、平面部１１５ｂの中央の中心線１１８からの距離Ａより長い。偏心突部１１５の周面は、円周面部１１５ａと、狭い平面部１１５ｂと、広い平面部１１５ｃとよりなる。溝１１６のうち、広い平面部１１５ｃ側は開口となっている。
【００３０】
ピン１２０は、円柱形であり、金属ベース板１１０の上面１１０ａ側にフランジ部１２０ａを有する。３つのフック１２１、１２２、１２３は、偏心ロータ部１１１を中心に分散して配置してある。各フック１２１、１２２、１２３は、断面が長円の略半分の形状である柱であり、Ｘ２側が円周面であり、Ｘ１側が平面であり、Ｘ１側にフック部１２１ａ、１２２ａ、１２３ａがＸ１方向に突き出て形成してあり、且つ、金属ベース板１１０の上面１１０ａ側にフランジ部１２１ｂ、１２２ｂ、１２３ｂを有する。
【００３１】
図４に示すように、錘板１００には、偏心ロータ１１１の偏心突部１１５に対応する開口１０１と、ピン１２０に対応する開口１０２と、フック１２１、１２２、１２３に対応する開口１０３、１０４，１０５とが形成してある。開口１０１は、大略円の１／４の形状であり、Ｘ１側にＹ１−Ｙ２方向に延在する直線状の縁部１０１ａを有する。偏心突部１１５が上記のように半径Ｒ１の略１／２に相当する部分が切除されているため、偏心突部１１５が円柱状である場合に必要である開口に比較して、開口１０１の大きさは小さくなっている。開口１０１の大きさが小さいことは、その分錘板１００の重さが重くなって、錘板１００としては好ましいことである。開口１０２はＸ１−Ｘ２方向に長い円形である。開口１０３、１０４，１０５は、Ｘ１−Ｘ２方向に長い円形のうちＸ２側の部分を切除した形状であり、Ｘ２側にはＹ１−Ｙ２方向に延在する直線状の縁部１０３ａ、１０４ａ，１０５ａを有する。
【００３２】
錘板１００をベース６２上にねじを使用しないで固定する作業は、以下の二段階で行う。
【００３３】
偏心ロータ１１１は、偏心突部１１５の平面部１１５ｂがＸ１側を向いた回動位置に位置している。
【００３４】
第１の段階として、図５（Ａ），（Ｂ）に示すように、錘板１００をベース６２上に載せる。錘板１００は、開口１０１が偏心突部１１５に、開口１０２がピン１２０に、開口１０３、１０４，１０５が夫々フック１２１、１２２、１２３に嵌合して位置を決められ、且つ各開口１０１〜１０５の周囲の部分がフランジ部１１２、１２０ａ〜１２３ａに載って支持された状態となる。
【００３５】
第２の段階として、ねじ回しを使用し、その先端部を溝１１６に嵌合させてＣで示す時計方向に回して一つの偏心ロータ１１１を１／２回転させる。偏心突部１１５は図９（Ａ）に示す位置から、中心線１１７を中心に偏心して回動し、図９（Ｂ）、図９（Ｃ）に示す状態を経て、図９（Ｄ）に示す最終位置まで回動される。
【００３６】
偏心突部１１５は開口１０１の内側で回動し、図９（Ｂ）に示すように、円周面部１１５ａが開口１０１の直線状縁部１０１ａを押して、錘板１００がＸ２方向にスライドされる。最終状態に到る直前で、図９（Ｃ）に示すように角部１１５ｄが直線状縁部１０１ａを押し、最終的には、平面部１１５ｂが直線状縁部１０１ａを押した状態となる。
【００３７】
錘板１００は開口１０２〜１０５をピン１２０、フック１２１、１２２、１２３に案内されつつ、Ｘ２方向にスライドされる。
【００３８】
錘板１００がＸ２方向にスライドされると、開口１０３、１０４，１０５の直線状縁部１０３ａ、１０４ａ，１０５ａが夫々フック部１２１ａ、１２２ａ、１２３ａの下側にもぐり込んで係止され且つフック１２１、１２２、１２３に押し当る。また、偏心ロータ１１１が開口１０１の縁をＸ２方向に押し、フック１２１、１２２、１２３が夫々開口１０３、１０４，１０５の縁をＸ１方向に押す状態となる。
【００３９】
よって、錘板１００は、図５（Ｃ），（Ｄ）に示すように、一個所の偏心ロータ１１１を回す操作でもって、偏心ロータ１１１とフック１２１、１２２、１２３とによってＸ１−Ｘ２方向の動きを拘束され、ピン１２０及びフック部１２１ａ、１２２ａ、１２３ａによってＹ１−Ｙ２方向の動きを拘束され、且つ、フック部１２１ａ、１２２ａ、１２３ａにＺ１方向の動きを拘束されて、Ｘ，Ｙ，Ｚ方向のがたを無くしてベース６２上にねじを使用しないで固定される。よって、錘板１００のベース６２上への固定は、従来に比べて、少ない部品点数で且つ少ない組み立て工数で完了する。
【００４０】
ここで、フック１２１、１２２、１２３は、三つであり、錘板１００上分散して配置してあるため、錘板１００は分散している三個所で動きを拘束されるため、錘板１００はサイズが大きくても、しっかり固定される。しかも、そのための操作は一個所で足りる。
【００４１】
また、Ａ＜Ｒ１の関係からして、開口１０１の直線状縁部１０１ａをＸ２方向に押す部分が円周面部１１５ａから直線状縁部１０１ａに移ったときに、ねじ回しを操作している作業者は手の負荷が軽くなったことを感ずる。この感触によって、作業者は偏心ロータ１１１を確実に図９（Ｄ）に示す最終位置まで回動させたことを確認することが可能となり、偏心ロータ１１１を回す操作を中途半端でやめてしまったりする不都合が回避される。
【００４２】
また、偏心ロータ１１１が図５（Ｄ）に示す状態から半回転されると錘板１００はＸ方向の拘束を解除されてベース６２から外れることになってしまうけれども、Ｒ１＞Ａの関係からして、偏心ロータ１１１が図５（Ｄ）に示す状態から回動を開始するには、角部１１５ｄ又は１１５ｅが直線状縁部１０１ａを押して錘板１００をＸ２方向に若干変位させる必要があり、これが偏心ロータ１１１を回動させるときの負荷となる。このため、振動及び衝撃が作用しても偏心ロータ１１１が図５（Ｄ）に示す状態から回動を開始することは起きず、よって、錘板１００は安定に固定される。
【００４３】
次に錘板１００をベース６２上にねじを使用しないで固定した構造の変形例について説明する。
【００４４】
図１０は第１の変形例を示す。偏心ロータ１１１Ａは、アウトサートで形成したものではなくて、一つの独立した部品であり、この偏心ロータ１１１Ａが金属ベース板１１０の円形穴１１０ｃに差し込んで取り付けてある。
【００４５】
図１１は第２の変形例を示す。前記のフック１２１、１２２、１２３に対応するフック３００が錘板１００Ａに設けてあり、金属ベース板１１０Ａには開口３０１が形成してある。
【００４６】
図１２は第３の変形例を示す。前記のフック１２１、１２２、１２３に対応するフック４００が金属ベース板１１０Ｂの一部をプレス加工で切り起こすことによって形成してある。錘板側にプレス加工で切り起こしたフックを形成してもよい。
【００４７】
また、本発明は、錘板を光ディスク装置のベース板上に固定する部分に限らず、通常の板状の部材をベース板上に固定する場所にも適用可能である。
【００４８】
【発明の効果】
上述の如く、本発明によれば、スライド機構によって横にスライドされた板状部材が係止機構によって係止されてベース板上に固定された構成であるため、ねじを使用し、ねじを締めることで板状部材をベース板上に固定した構造に比べて、少ない部品点数で且つ少ない組み立て工数で済ますことが出来るという特長を有する。
【図面の簡単な説明】
【図１】本発明の一実施例になる光ディスク装置の平面図である。
【図２】図１の光ディスク装置の内部の構造を概略的に示す側面図である。
【図３】ベースユニットアセンブリの分解斜視図である。
【図４】錘板とベースとを対応して示す斜視図である。
【図５】錘板のベースへの固定を説明するための図であり、る。
【図６】ベースを示す図である。
【図７】ベース板にアウトサート成形してある偏心ロータ、フック及びピンを示す図である。
【図８】偏心突部と開口とを拡大して示す図である。
【図９】偏心ロータの回動位置と、偏心突部が開口の縁を押す状態との関係を示す図である。
【図１０】偏心ロータの変形例を示す図である。
【図１１】錘板をベース上に固定する構造の変形例を示す図である。
【図１２】錘板をベース上に固定する構造の別の変形例を示す図である。
【図１３】従来の錘板をベース上に固定する構造を示す図である。
【符号の説明】
５０  光ディスク装置
５１  ハウジング
６０  ベースユニットアセンブリ
６１  ベースユニット
６２  ベース
６３  ターンテーブル
６４  モータ
６５  光学ヘッド
８１〜８４  インシュレータ
８５  支持ベース
１００  錘板
１０１〜１０５  開口
１１０  金属ベース板
１１１  偏心ロータ
１１５  偏心突部
１１５ａ  円周面部
１１５ｂ  平面部
１１５ｄ、１１５ｅ  角部
１２０  ピン
１２１，１２２、１２３  フック
１２１ａ，１２２ａ、１２３ａ  フック部
２００  ＣＤ−ＲＯＭ
【図１】
2004204889.tif 000003
【図２】
2004204889.tif 000004
【図３】
2004204889.tif 000005
【図４】
2004204889.tif 000006
【図５】
2004204889.tif 000007
【図６】
2004204889.tif 000008
【図７】
2004204889.tif 000009
【図８】
2004204889.tif 000010
【図９】
2004204889.tif 000011
【図１０】
2004204889.tif 000012
【図１１】
2004204889.tif 000013
【図１２】
2004204889.tif 000014
【図１３】
2004204889.tif 000015